【手続補正書】
【提出日】平成29年3月10日(2017.3.10)
【手続補正１】
【補正対象書類名】明細書
【補正対象項目名】０１５１
【補正方法】変更
【補正の内容】
【０１５１】
［１５６］例示的な実施形態が上述されているが、これらの実施形態は本発明のすべての可能な形態を説明することを意図するものではない。むしろ、本明細書で使用される記載は、限定ではなく説明のためであり、様々な変更が、本発明の精神及び範囲から逸脱することなくなされ得ることが理解される。また、様々な実施態様の特徴は、本発明のさらなる実施形態を形成してもよい。
［１．１］
多入力多出力（ＭＩＭＯ）ユーザ機器（ＵＥ）であって、
少なくとも第１の信号部分、第２の信号部分、第３の信号部分及び第４の信号部分を処理するように構成されたフロントエンドと、
第１の周波数の前記第１の信号部分、第２の周波数の前記第２の信号部分、第３の周波数の前記第３の信号部分及び第４の周波数の前記第４の信号部分を共通の第５の周波数に変換するように構成された無線周波数集積回路（ＲＦＩＣ）と、
前記第１、第２、第３及び第４の信号部分を出力信号に結合するように構成されたベースバンドプロセッサとを含み、
前記フロントエンドは、有線通信媒体を介して搬送されたときに、前記第１、第２、第３及び第４の信号部分を周波数ダイバース信号として受信する有線インターフェースを含み、
前記フロントエンドは、無線通信媒体を介して搬送されたときに、前記第１、第２、第３及び第４の信号部分を空間的なダイバース信号として受信する第１のポート、第２のポート、第３のポート及び第４のポートを含む複数の無線ポートを含み、
前記フロントエンドは、前記第１、第２、第３及び第４の信号部分が前記有線インターフェース又は前記無線ポートで受信されたかどうかに応じて信号経路を前記フロントエンドを介して有線経路から無線経路に切り替えるように動作可能な１つ以上のスイッチを含むユーザ機器。
［１．２］
前記スイッチは、クレードルへの接続が決定されたときに前記有線経路に切り替え、クレードルへの接続が決定されないときに前記無線経路に切り替えるように自動的に動作可能である［１．１］に記載のユーザ機器。
［１．３］
前記フロントエンドは、前記第１、第２、第３及び第４の信号部分のそれぞれについて前記ＲＦＩＣへの出力を含む［１．２］に記載のユーザ機器。
［１．４］
前記ＲＦＩＣは、前記出力のそれぞれについて周波数変換器を含み、前記周波数変換器のそれぞれは、前記第１、第２、第３及び第４の信号部分の前記第５の周波数への周波数変換を促進する独立に制御可能な局部発信器を含む［１．３］に記載のユーザ機器。
［１．５］
無線及び有線のシグナリングを促進するハイブリッドファイバ同軸（ＨＦＣ）ネットワークで動作可能な多入力多出力（ＭＩＭＯ）ユーザ機器（ＵＥ）であって、前記ユーザ機器は、
有線信号を前記ＨＦＣネットワークにインターフェースするための有線通信インターフェース及び無線信号を前記ＨＦＣネットワークにインターフェースするための無線インターフェースを有し、前記インターフェースされた無線及び有線信号について無線及び有線信号経路を含むフロントエンドと、
前記有線及び無線信号経路について周波数変換された信号を生成するように構成された無線周波数集積回路（ＲＦＩＣ）と、
それに接続されたデバイスに前記周波数変換された信号をインターフェースするように構成されたベースバンドプロセッサとを含み、
前記無線インターフェースは複数の無線ポートを含み、
前記フロントエンドは前記無線ポートのそれぞれについて周波数帯域スイッチを含み、各周波数帯域スイッチは、対応する周波数帯域内で無線信号のインターフェースを促進するように、少なくとも第１及び第２の周波数帯域の間で動作可能であるユーザ機器。
［１．６］
ハイブリッドファイバ同軸（ＨＦＣ）ネットワークで動作可能である無線及び有線のシグナリングを促進する多入力多出力（ＭＩＭＯ）ユーザ機器（ＵＥ）であって、前記ユーザ機器は、
有線信号を前記ＨＦＣネットワークにインターフェースするための有線通信インターフェース及び無線信号を前記ＨＦＣネットワークにインターフェースするための無線インターフェースを有し、前記インターフェースされた無線及び有線信号について無線及び有線信号経路を含むフロントエンドと、
前記有線及び無線信号経路について周波数変換された信号を生成するように構成された無線周波数集積回路（ＲＦＩＣ）と、
それに接続されたデバイスに前記周波数変換された信号をインターフェースするように構成されたベースバンドプロセッサとを含み、
前記フロントエンドは前記有線及び無線信号経路を通過するアップリンク及びダウンリンク信号をそれぞれをインターフェースするための少なくとも１つのアップリンクポート及び少なくとも１つのダウンリンクポートを含み、
前記フロントエンドは各アップリングポート及び各ダウンリンクポートに関連付けられたスイッチを含み、前記スイッチは無線位置及び有線位置の間で動作可能であり、前記無線位置は前記アップリンク及びダウンリンクポートの対応する１つを前記無線経路の１つに接続し、前記有線位置は前記アップリンク及びダウンリンクポートの対応する１つを前記有線経路の１つに接続するユーザ機器。
［１．７］
前記フロントエンドは、クレードルへの接続が決定されたときに前記有線経路に切り替え、クレードルとの接続が決定されないときに前記無線経路に切り替えるように前記スイッチを自動的に設定するように動作可能である［１．６］に記載のユーザ機器。
［１．８］
前記ＲＦＩＣは、前記ポートのそれぞれのための周波数変換器を含み、前記周波数変換器のそれぞれは、周波数変換を促進するために独立に制御可能な局部発信器を含む［１．６］に記載のユーザ機器。
［１．９］
ハイブリッドファイバ同軸（ＨＦＣ）ネットワークで動作可能である前記ＨＦＣネットワークの有線通信媒体を介して送信された周波数ダイバース有線信号から生成されたダウンリンク空間ダイバース無線シグナリングの処理を促進するような多入力多出力（ＭＩＭＯ）ユーザ機器（ＵＥ）であって、前記ユーザ機器は、
前記空間ダイバース無線信号を受信するための複数の無線ポートを有するフロントエンドと、
前記フロントエンドから出力された信号を前記受信した無線信号に応じて共通周波数に周波数変換するように構成された無線周波数集積回路（ＲＦＩＣ）と、
それに接続されたデバイスに前記周波数変換された信号をインターフェースするように構成されたベースバンドプロセッサとを含み、
前記フロントエンドは前記無線ポートのそれぞれについて周波数帯域スイッチを含み、各周波数帯域スイッチは、対応する周波数帯域内で無線信号のインターフェースを促進するように、少なくとも第１および第２の周波数帯域の間で動作可能であるユーザ機器。
［１．１０］
ハイブリッドファイバ同軸（ＨＦＣ）ネットワークで動作可能である前記ＨＦＣネットワークの有線通信媒体を介して送信された周波数ダイバース有線信号から生成されたダウンリンク空間ダイバース無線シグナリングの処理を促進する多入力多出力（ＭＩＭＯ）ユーザ機器（ＵＥ）であって、前記ユーザ機器は、
前記空間ダイバース無線信号を受信するための複数の無線ポートを有するフロントエンドと、
前記フロントエンドから受信した無線信号に応じて出力された信号を共通周波数に周波数変換するように構成された無線周波数集積回路（ＲＦＩＣ）と、
前記周波数変換された信号をそれに接続されたデバイスにインターフェースするように構成されたベースバンドプロセッサとを含み、
前記フロントエンドは、前記無線ポートのそれぞれに関連する信号を前記ＲＦＩＣにそれぞれインターフェースするために少なくとも１つの出力を含み、
前記ＲＦＩＣは前記出力のそれぞれについて周波数変換器を含み、前記周波数変換器のそれぞれは、周波数変換を促進するために独立して制御可能な局部発振器を含み、
前記フロントエンドは前記無線ポートのそれぞれについてダイプレックスフィルタを含み、前記ダイプレックスフィルタは、前記受信した無線信号が前記ＲＦＩＣに向かうように指示し、及び前記ＲＦＩＣから受信したアップリンク無線信号を対応するポートから送信するように指示することが可能であるユーザ機器。
［２．１］
多入力多出力（ＭＩＭＯ）信号プロセッサであって、
送信のために所望の入力信号を受信するように構成され、前記入力信号は非ダイバースである入力と、
前記入力信号を少なくとも第１の信号部分、第２の信号部分、第３の信号部分及び第４の信号部に多重化するように構成されたマルチプレクサと、
第１の周波数で前記第１の信号部分、第２の周波数で前記第２の信号部分、第３の周波数で前記第３の信号部分及び第４の周波数で前記第４の信号部分を送信するように構成され、前記第１、第２、第３及び第４の周波数のそれぞれはダイバースである送信機と、
前記マルチプレクサは、非光、有線通信媒体を介して送信するために、前記第１、第２、第３及び第４の信号部分を合成する前に、前記第１、第２、第３及び第４の信号部分のそれぞれにパリティ情報を追加するように構成された信号プロセッサ。
［２．２］
多入力多出力（ＭＩＭＯ）通信システムであって、
信号プロセッサであって、
ｉ）送信のために所望の入力信号を受信し、前記入力信号は非ダイバースであり、
ｉｉ）前記入力信号を少なくとも第１の信号部分、第２の信号部分、第３の信号部分及び第４の信号部分に多重化し、
ｉｉｉ）第１の周波数で前記第１の信号部分、第２の周波数で前記第２の信号部分、第３の周波数で前記第３の信号部分及び第４の周波数で第４の信号部分を送信し、前記第１、第２、第３及び第４の周波数のそれぞれはダイバースであるように構成された信号プロセッサと、
終端局であって、
ｉ）非光通信媒体を介して送信された後に前記第１、第２、第３及び第４の信号部分を受信し、
ｉｉ）空間的にダイバースな無線周波数（ＲＦ）送信のために前記受信した第１、第２、第３及び第４の信号部分を相関させるように構成された終端局とを含むシステム。
［２．３］
前記空間的にダイバースなＲＦ送信は、各信号部分が共通周波数で送信されるように、前記第１、第２、第３及び第４の信号部分が相関していることによって特徴付けられ、
前記終端局は、前記第１の信号部分の前記第１の周波数を前記共通周波数に変換し、前記第２の信号部分の前記第２の周波数を前記共通周波数に変換し、前記第３の信号部分の前記第３の周波数を前記共通周波数に変換し、及び前記第４の信号部分の前記第４の周波数を前記共通周波数に変換するように構成された変換器を含む［２．２］に記載の通信システム。
［２．４］
前記空間的にダイバースなＲＦ送信は、各信号部分が共通周波数で送信されるように、前記第１、第２、第３及び第４の信号部分が相関していることによって特徴付けられ、
前記終端局は、前記第１の信号部分、前記第２の信号部分、前記第３の信号部分及び前記第４の信号部分をそれぞれ送信するために、第１のアンテナ、第２のアンテナ、第３のアンテナ及び第４のアンテナを含み、前記第１、第２、第３及び第４のアンテナは空間的にダイバースであり、
ユーザ機器（ＵＥ）は、前記第１、第２、第３及び第４のアンテナから前記第１、第２、第３及び第４の信号部分を受信し、前記ユーザ機器で受信した前記第１、第２、第３及び第４の信号部分のそれぞれは、前記ユーザ機器が受信した第１、第２、第３及び第４の信号部分から前記入力信号を再構成するときに前記入力信号の異なる部分に対応する［２．２］に記載の通信システム。
［２．５］
多入力多出力（ＭＩＭＯ）通信システムであって、
信号プロセッサであって、
ｉ）送信のために望ましい入力信号を受信し、前記入力信号は非ダイバースであり、
ｉｉ）前記入力信号を少なくとも第１の信号部分、第２の信号部分、第３の信号部分及び第４の信号部分に多重化し、
ｉｉｉ）前記第１の信号部分を第１の周波数で、前記第２の信号部分を第２の周波数で、前記第３の信号部分を第３の周波数で、及び前記第４の信号部分を第４の周波数で送信し、前記第１、第２、第３及び第４の周波数のそれぞれはダイバースであり、
ｉｖ）有線通信媒体及び光通信媒体の少なくとも１つを介して送信するために、前記第１、第２、第３及び第４の信号部分を組み合わせるように構成された信号プロセッサと、
終端局であって、
ｉ）前記有線通信媒体及び前記光通信媒体の少なくとも１つを介して送信された後で前記第１、第２、第３及び第４の信号部分を受信し、
ｉｉ）空間的にダイバースな無線周波数（ＲＦ）送信のために、前記第１、第２、第３及び第４の信号部分を相関させ、前記空間的にダイバースなＲＦ送信は、各信号部分が共通周波数で送信されるように、前記第１、第２、第３及び第４の信号部分が相関することによって特徴付けられ、
ｉｉｉ）複数の使用可能な周波数から共通周波数を選択し、前記使用可能な複数の周波数は、前記共通周波数が発信元に関連した使用可能な周波数のうちの少なくとも１つから選択されるように、前記入力信号の発信元に応じて選択されるように構成された終端局とを含むシステム。
［２．６］
多入力多出力（ＭＩＭＯ）信号プロセッサであって、
送信のために望ましい入力信号を受信するように構成され、前記入力信号が非ダイバースである入力と、
前記入力信号を少なくとも第１の信号部分、第２の信号部分、第３の信号部分及び第４の信号部に多重化するように構成されたマルチプレクサと、
第１の周波数で前記第１の信号部分を、第２の周波数で前記第２の信号部分を、第３の周波数で前記第３の信号部分を、及び第４の周波数で前記第４の信号部分を送信するように構成され、前記第１、第２、第３及び第４の周波数はダイバースであるように構成された送信機と、
有線通信媒体及び光通信媒体の少なくとも１つを介して送信するために、前記第１、第２、第３及び第４の信号部分を結合するように構成されたコンバイナと、
前記有線通信媒体及び前記光通信媒体を介して送信する前に、前記第１の信号部分、前記第２の信号部分、前記第３の信号部分、及び前記第４の信号の少なくとも１つを遅延させるように構成された遅延とを含む信号プロセッサ。
［２．７］
多入力多出力（ＭＩＭＯ）通信システムであって、
信号プロセッサであって、
ｉ）送信のために望ましい入力信号を受信し、前記入力信号は非ダイバースであり、
ｉｉ）前記入力信号を少なくとも第１の信号部分、第２の信号部分、第３の信号部分及び第４の信号部分に多重化し、
ｉｉｉ）第１の周波数で第１の信号部分を、第２の周波数で第２の信号部分を、第３の周波数で第３の信号部分を、及び第４の周波数で第４の信号部分を送信し、前記第１、第２、第３及び第４の周波数のそれぞれはダイバースであるように構成された信号プロセッサと、
終端局であって、
非光、有線通信媒体を介して送信された後に、前記第１、第２、第３及び第４の信号部分を受信し、前記第１、第２、第３及び第４の信号部分のそれぞれは前記入力信号の異なる部分に対応し、
前記第１、第２、第３及び第４の信号部分を前記入力信号を表す出力信号に処理し、前記出力信号は空間的に及び周波数が非ダイバースであるように構成された終端局とを含むシステム。
［２．８］
信号送信を促進する方法であって、
送信のために望ましい入力信号を受信し、
前記入力信号を少なくとも複数の信号部分に多重化し、
前記多重化後に前記複数の信号部分のそれぞれを変調マッピングし、
前記変調マッピング後に前記複数の信号部分のそれぞれを直交周波数分割多重化（ＯＦＤＭ）処理し、
前記ＯＦＤＭ処理後に有線通信媒体及び光通信媒体の少なくとも１つを介した長距離送信のために前記複数の信号部分のそれぞれを送信し、異なる中心周波数で前記複数の信号部分のそれぞれを送信することを含み、
前記多重化は前記複数の信号部分のそれぞれにパリティ情報を付加することを含み、前記ＯＦＤＭ処理は実際のスペクトルに前記複数の信号部分のそれぞれを関連付けることを含む方法。
［２．９］
周波数が及び空間的に非ダイバース状態で前記入力信号を受信することをさらに含む［２．８］に記載の方法。
［２．１０］
デジタル状態で前記入力信号を受信することをさらに含み、前記変調マッピングは前記入力信号のデジタル状態をコンステレーションシンボルにマッピングすることを含む［２．８］に記載の方法。
［２．１１］
信号送信を促進する方法であって、
送信のために望ましい入力信号を受信し、
前記入力信号を少なくとも複数の信号部分に多重化し、
前記多重化後に前記複数の信号部分のそれぞれを変調マッピングし、
前記変調マッピング後に前記複数の信号部分のそれぞれを直交周波数分割多重化（ＯＦＤＭ）処理し、
前記ＯＦＤＭ処理後に有線通信媒体及び光通信媒体の少なくとも１つを介して長距離送信のために前記複数の信号部分のそれぞれを送信し、異なる中心周波数で前記複数の信号部分のそれぞれを送信することを含み、
前記変調マッピング後及び前記ＯＦＤＭ処理前に前記複数の信号部分のそれぞれを空間的に多重化し、前記空間的な多重化は前記複数の信号部分のうちの少なくとも１つを前記複数の信号部分の他の１つに対して遅延させることを含むことを含む方法。
［２．１２］
信号送信を促進する方法であって、
送信のために望ましい入力信号を受信し、
前記入力信号を少なくとも複数の信号部分に多重化し、
前記多重化後に前記複数の信号部分のそれぞれを変調マッピングし、
前記変調マッピング後に前記複数の信号部分のそれぞれを直交周波数分割多重化（ＯＦＤＭ）処理し、
前記ＯＦＤＭ処理後に有線通信媒体及び光通信媒体の少なくとも１つを介して長距離送信のために前記複数の信号部分のそれぞれを送信し、異なる中心周波数で前記複数の信号部分のそれぞれを送信することを含み、
空間的に非ダイバースな方法で前記有線通信媒体を介して送信された後に前記複数の信号部分のそれぞれを受信し、
共通周波数で空間的にダイバースな無線周波数（ＲＦ）送信のために、前記有線通信媒体を介して送信された後に前記複数の信号部分のそれぞれを関連付け、
入力信号を近似する出力信号を生成するＲＦ送信を処理し、前記出力信号は周波数非ダイバースであり、前記複数の信号部分のそれぞれを含むことを含む方法。
［２．１３］
発信元デバイスと宛先デバイスとの間の携帯電話の通話を促進する方法であって、
前記携帯電話の通話の少なくとも一部を表す入力信号を受信し、
前記入力信号を少なくとも複数の信号部分に多重化し、
有線通信媒体及び光ファイバ通信媒体の少なくとも１つを介した長距離送信のために、複数の信号部分のそれぞれを送信し、異なる中心周波数で前記複数の信号部分のそれぞれを送信することを含み、
前記有線通信媒体及び前記光ファイバ通信媒体の少なくとも１つを介して送信された後に前記複数の信号部分のそれぞれを受信し、
前記宛先デバイスへの空間的なダイバース無線周波数（ＲＦ）のために、前記複数の信号部分のそれぞれを相関させ、前記複数の信号部分を共通周波数で送信し、
前記宛先デバイスに関連するサービスプロバイダを同定し、
前記サービスプロバイダの同定に基づいて前記共通周波数を選択することを含む方法。
［２．１４］
多入力多出力（ＭＩＭＯ）通信信号プロセッサであって、
送信のために望ましい入力信号を受信するように構成され、前記入力信号が非ダイバースである入力と、
前記入力信号を少なくとも第１の信号部分、第２の信号部分、第３の信号部分及び第４の信号部に多重化するように構成されたマルチプレクサと、
前記第１の信号部分を第１の周波数で、前記第２の信号部分を第２の周波数で、前記第３の信号部分を第３の周波数で、及び前記第４の信号部分を第４の周波数で送信するように構成され、前記第１、第２、第３、及び第４の周波数のそれぞれはダイバースである送信機とを含み、
前記入力信号は空間的に非ダイバースであり、周波数が非ダイバースであり、
前記第１、第２、第３及び第４の部分は入力信号の異なる部分を含むそれぞれに多重化され、
前記第１、第２、第３及び第４の部分は、終端局に送信するため、空間的に非ダイバースな方法での同軸ケーブル媒体に送信されるプロセッサ。
［２．１５］
セルラー通信システムから前記入力信号を受信し、前記入力信号は前記セルラー通信システムを介したセルラー信号に由来し、
インターネットサービスプロバイダ（ＩＳＰ）から前記入力信号を受信し、前記入力信号は前記ＩＳＰを介して送信されたデータに由来し、
ケーブルテレビサービスプロバイダシステムから前記入力信号を受信し、前記入力信号はケーブルテレビサービスプロバイダシステムを介して搬送されたテレビジョン送信に由来するようにさらに構成された［２．１４］に記載のＭＩＭＯ通信信号プロセッサ。
［２．１６］
信号送信を促進する方法であって、
送信のために望ましい入力信号を受信し、
前記入力信号を少なくとも複数の信号部分に多重化し、
前記多重化後に前記複数の信号部分のそれぞれを変調マッピングし、
前記変調マッピング後に前記複数の信号部分のそれぞれを直交周波数分割多重化（ＯＦＤＭ）処理し、
前記ＯＦＤＭ処理後に有線通信媒体及び光通信媒体の少なくとも１つを介して長距離送信のために前記複数の信号部分のそれぞれを送信し、異なる中心周波数で前記複数の信号部分のそれぞれを送信し、
有線通信媒体を介した長距離送信のために、前記複数の信号部分のそれぞれを送信し、空間ダイバーシティなしで前記複数の信号部分が前記入力信号の異なる部分を含むように、前記複数の信号部分のそれぞれを送信することを含むことを含む方法。
［２．１７］
発信元デバイスと宛先デバイスとの間で携帯電話の通話を促進する方法であって、
前記携帯電話の通話の少なくとも一部の表す入力信号を受信し、
前記入力信号を少なくとも複数の信号部分に多重化し、各信号部分は前記入力信号の異なる部分を含み、
空間ダイバーシティなし有線通信媒体及び光ファイバ通信媒体の少なくとも１つに長距離送信するために、前記複数の信号部分のそれぞれを送信し、異なる中心周波数で複数の部分信号のそれぞれを送信することを含み、
前記有線通信媒体及び前記光ファイバ通信媒体の少なくとも１つを介して送信された後に前記複数の信号部分のそれぞれを受信し、
前記宛先デバイスへの空間的にダイバースな無線周波数（ＲＦ）送信のために、前記複数の信号部分のそれぞれを関連付け、前記複数の信号部分のそれぞれを共通周波数で送信することを含むことを含む方法。
［３．１］
無線シグナリングを促進する方法であって、
第１のデバイスへの送信に望ましい第１の信号を決定し、
前記第１の信号を少なくとも第１の部分、第２の部分、第３の部分及び第４の部分に分離し、前記第１、第２、第３及び第４の部分のそれぞれは、少なくとも、それぞれが異なる周波数で変調されている周波数ダイバースであり、
前記第１、第２、第３及び第４の部分の少なくとも１つは第１のリモートアンテナユニットで受信され、前記第１のリモートアンテナユニットで受信した前記第１、第２、第３及び第４の部分以外の前記第１、第２、第３及び第４の部分の少なくとも１つは第２のリモートアンテナユニットで受信されるように、前記第１、第２、第３及び第４の部分の有線通信媒体を介した送信を促進し、前記第１及び第２のリモートアンテナユニットは受信した前記第１、第２、第３及び第４の部分の１つ以上を無線通信媒体を介して無線で送信するように構成され、
前記第１、第２、第３及び第４の部分が前記無線通信媒体を介して続いて送信されるときよりも前記有線通信媒体を介して大きな距離を進むように、前記第１のリモートアンテナユニットで受信した前記第１、第２、第３及び第４の部分の少なくとも１つが、前記第２のリモートアンテナユニットで受信した前記第１、第２、第３及び第４の部分の少なくとも１つは前記有線通信媒体内を進む第２の経路とは少なくとも部分的に異なる前記有線通信媒体内の第１の経路を介して進むように、送信を促進することを含む方法。
［３．２］
前記第１のデバイスの第１の位置を決定し、
前記第１、第２、第３及び第４の部分の無線による送信を促進するために、前記第１の位置内で使用可能な３つ以上のリモートアンテナユニットを決定し、
前記第１、第２、第３及び第４の部分の前記第１のデバイスへの無線による送信を促進するために、前記３つ以上のリモートアンテナユニットから前記第１及び第２のリモートアンテナユニットを選択することをさらに含む［３．１］に記載の方法。
［３．３］
前記第１のデバイスの前記第１の位置に対して前記３つ以上のリモートアンテナユニットのそれぞれについて空間ダイバーシティを決定し、前記空間ダイバーシティの少なくとも一部に基づいて前記３つ以上のリモートアンテナユニットから前記第１及び第２のリモートアンテナユニットを選択することをさらに含む［３．２］に記載の方法。
［３．４］
前記第１の位置に対する前記複数のリモートアンテナユニットのそれぞれの角度位置を計算することによって前記空間ダイバーシティを決定することをさらに含む［３．３］に記載の方法。
［３．５］
前記第１のデバイス前記第１の位置に対して前記３つ以上のアンテナユニットのそれぞれのために、ビーム形成機能を決定し、
前記ビーム形成機能に少なくとも一部に基づいて前記第１及び第２のリモートアンテナユニットを選択することをさらに含む［３．２］に記載の方法。
［３．６］
前記第１の位置に向かう無線シグナリングを導くことを促進するために十分なビーム形成能力を有することに基づいて前記３つ以上のリモートアンテナユニットから前記第１及び第２のリモートアンテナユニットを選択することをさらに含む［３．５］に記載の方法。
［３．７］
前記第１及び第２のリモートアンテナユニットのそれぞれにビーム形成命令を提供し、前記ビーム形成命令は、前記第１の位置に無線シグナリングを導くことを促進するために十分な方法で、そこから放出された無線シグナリングの振幅及び位相又は遅延を制御することをさらに含む［３．６］に記載の方法。
［３．８］
前記無線シグナリングが前記第１の位置よりも前記第２の位置に導かれるようにするように、前記第１の位置から前記第２の位置への前記第１のデバイスの動きに基づいて前記無線シグナリングの前記増幅及び位相又は遅延を調整するために、前記第１及び第２のリモートアンテナユニットのそれぞれに更新されたビーム形成指示を提供することをさらに含む［３．７］に記載の方法。
［３．９］
無線シグナリングを促進する方法であって、
第１のデバイスへの送信に望ましい第１の信号を決定し、
前記第１の信号を少なくとも第１の部分、第２の部分、第３の部分及び第４の部分に分離し、前記第１、第２、第３及び第４の部分のそれぞれは、少なくとも、それぞれが異なる周波数で変調されている周波数ダイバースであり、
前記第１、第２、第３及び第４の部分の少なくとも１つが第１のリモートアンテナユニットで受信され、前記第１のリモートアンテナユニットで受信された前記第１、第２、第３及び第４の部分の少なくとも１つ以外の前記第１、第２、第３及び第４の部分の少なくとも１つが第２のリモートアンテナユニットで受信されるように、有線通信媒体を介した少なくとも第１および第２の部分の伝送を促進し、前記第１及び第２のリモートアンテナユニットは、受信した前記第１、第２、第３及び第４の部分の１つ以上を無線通信媒体を介して前記第１のデバイスに無線で送信するように構成され、
前記第１のデバイスの第１の位置を決定し、
前記第１、第２、第３及び第４の部分の無線による送信を促進するために、前記第１の位置内で使用可能な３つ以上のリモートアンテナユニットを決定し、
前記第１、第２、第３及び第４の部分の前記第１のデバイスへの無線による送信を促進するために、前記３つ以上のリモートアンテナユニットから前記第１及び第２のリモートアンテナユニットを選択し、
前記第１のデバイスの前記第１の位置に対して前記３つ以上のリモートアンテナユニットのそれぞれについて空間ダイバーシティを決定し、前記空間ダイバーシティの少なくとも一部に基づいて前記３つ以上のリモートアンテナユニットから前記第１及び第２のリモートアンテナユニットを選択し、
前記第１の位置に対する前記複数のリモートアンテナユニットのそれぞれの角度位置を計算することによって前記空間ダイバーシティを決定し、
角度閾値より大きい関連する角度位置を有することに少なくとも一部は基づいて前記第１及び第２のリモートアンテナユニットを選択することを含む方法。
［３．１０］
無線シグナリングを促進する方法であって、
第１のデバイスへの送信に望ましい第１の信号を決定し、
前記第１の信号を少なくとも第１の部分、第２の部分、第３の部分及び第４の部分に分離し、前記第１、第２、第３及び第４の部分のそれぞれは、少なくとも、それぞれが異なる周波数で変調されている周波数ダイバースであり、
前記第１、第２、第３及び第４の部分の少なくとも１つが第１のリモートアンテナユニットで受信され、前記第１のリモートアンテナユニットで受信された前記第１、第２、第３及び第４の部分の少なくとも１つ以外の前記第１、第２、第３及び第４の部分の少なくとも１つが第２のリモートアンテナユニットで受信されるように、有線通信媒体を介した前記第１、第２、第３及び第４の部分の送信を促進し、前記第１及び第２のリモートアンテナユニットは、受信した前記第１、第２、第３及び第４の部分の１つ以上を無線通信媒体を介して前記第１のデバイスに無線で送信するように構成され、
前記第１及び第２のリモートアンテナユニットに前記第１、第２、第３及び第４の部分を第１の周波数で送信するように指示し、
第２のデバイスで無線受信するために望ましい第２の信号を決定し、
前記第２の信号を少なくとも第５の部分、第６の部分、第７の部分及び第８の部分に分離し、前記第５、第６、第７及び第８の部分のそれぞれは、少なくとも、それぞれが異なる周波数で変調されている周波数ダイバースであり、
前記第５、第６、第７及び第８の部分の少なくとも１つが前記第１のリモートアンテナユニットで受信され、前記第１のリモートアンテナユニットで受信された前記第５、第６、第７及び第８の部分の少なくとも１つ以外の前記第５、第６、第７及び第８の部分少なくとも１つが前記第２のリモートアンテナユニットで受信されるように、前記有線通信媒体を介した前記第５、第６、第７及び第８の部分の送信を促進し、前記第１及び第２のリモートアンテナユニットは受信した前記第５、第６、第７及び第８の部分を前記第２のデバイスに前記無線通信媒体を介して第２の周波数で無線で送信するように構成され、前記第２の周波数は前記第１、第２、第３及び第４の部分を無線で送信するのに使用される第１の周波数とは異なることを含む方法。
［３．１１］
無線シグナリングを促進する方法であって、
第１のデバイスへの送信に望ましい第１の信号を決定し、
第１、第２、第３及び第４の部分のそれぞれが第１の信号の異なる部分であるように、第１の信号を少なくとも第１の部分、第２の部分、第３の部分及び第４の部分に多重化し、
前記第１のデバイスの近傍内の複数のリモートアンテナユニットを決定し、前記複数のリモートアンテナユニットは有線通信媒体に接続され、前記第１、第２、第３及び第４の部分の１つ以上を前記第１のデバイスに無線送信するのを促進するために十分な機能を有し、
相対的な無線通信機能に基づいて前記第１、第２、第３及び第４の部分の１つ以上を前記第１のデバイスに無線で送信するために、前記複数のリモートアンテナユニットの少なくとも第１のリモートアンテナユニット及び第２のリモートアンテナユニットを決定し、前記相対的な無線通信機能は前記複数のリモートアンテナユニットのそれぞれが前記第１のデバイスと無線通信する機能を表し、
前記有線通信媒体を介して前記第１のリモートアンテナユニットに前記第１、第２、第３及び第４の部分の少なくとも１つを送信し、
前記第２のリモートアンテナユニットが前記第１、第２、第３及び第４の部分の少なくとも前記第１のリモートアンテナユニットとは異なる１つを受信するように、前記第１、第２、第３及び第４の部分の少なくとも１つを前記有線通信媒体を介して前記第２のリモートアンテナユニットに送信し、前記第１及び第２のリモートアンテナユニットは、その後で、受信した前記第１、第２、第３及び第４の部分の少なくとも１つを前記第１のデバイスに無線で送信し、
前記第１のデバイスの第１の位置を決定し、
前記第１の位置に対する前記複数のリモートアンテナユニットのそれぞれについて空間ダイバーシティを決定し、
前記空間ダイバーシティに少なくとも部分的に基づいて前記複数のリモートアンテナユニットから前記第１及び第２のリモートアンテナユニットを選択し、
前記第１の位置に対する前記複数のリモートアンテナユニットのそれぞれの角度位置を計算することによって前記空間ダイバーシティを決定し、
角度閾値より大きい関連する角度位置を有することに少なくとも一部は基づいて前記第１及び第２のリモートアンテナユニットを決定することを含む方法。
［３．１２］
前記第１のデバイスの第１の位置に対する近傍を決定し、
前記第１の位置に対する複数のリモートアンテナユニットのそれぞれについてビーム形成機能を決定し、
ビーム形成機能に少なくとも一部に基づいて前記第１及び第２のリモートアンテナユニットを選択することをさらに含む［３．１１］に記載の方法。
［３．１３］
無線シグナリングを前記第１の位置に導くことを促進するために十分なビーム形成機能を有する前記複数のリモートアンテナユニットの少なくとも２つから前記第１及び第２のリモートアンテナユニットを選択することをさらに含む［３．１２］に記載の方法。
［３．１４］
無線シグナリングを促進するために、プロセッサで動作可能な非一時的命令を有する非一時的なコンピュータ可読媒体であって、前記非一時的命令は、
信号プロセッサとリモートアンテナユニットの第１の複数の１つ以上との間の有線シグナリングを促進するのに十分な有線通信媒体内の複数のシグナリング経路を決定し、
前記信号プロセッサから第１の無線デバイスへの送信が意図された第１信号を決定し、
前記第１の複数のリモートアンテナユニットについて無線通信機能を決定し、前記無線通信機能は前記第１の無線デバイスとの無線による通信を促進する機能を反映し、
無線通信機能に基づいて前記第１のデバイスと無線で送信するために、前記第１の複数のリモートアンテナユニットの少なくとも第１のリモートアンテナユニット及び第２のリモートアンテナユニットを決定し、
少なくとも第１及び第２の部分のそれぞれが前記第１の信号の異なる部分を含むように、前記第１の信号を少なくとも第１の部分及び第２の部分に分離し、
前記第１の部分を前記経路の対応する１つを介して前記第１のリモートアンテナユニットに送信し、前記第１のリモートアンテナユニットは、その後で、前記第１の部分を前記第１のデバイスに無線で送信し、
前記第２の部分を前記経路の対応する１つを介して前記第２のリモートアンテナユニットに送信し、前記第２のリモートアンテナユニットは、その後で、前記第２の部分を前記第１のデバイスに無線で送信し、
前記第１の信号を前記有線通信媒体に接続された第２の、より大きい複数のリモートアンテナユニットから前記第１の無線デバイスに送信する目的のために、前記第１の複数のリモートアンテナユニットを選択し、前記第１の複数のリモートアンテナユニットは前記第１のデバイスとの接続性を有するリモートアンテナユニットであり、前記第２の複数のリモートアンテナユニットの少なくとも一部は前記第１のデバイスとの接続性を欠き、
前記第１の複数のリモートアンテナユニットの第４及び第５の複数を決定し、前記第４の複数のリモートアンテナユニットは合否閾値に等しいか又は大きい接続性を有し、前記第５の複数のリモートアンテナユニットは前記合否閾値より小さい接続性を有し、
前記第４の複数のリモートアンテナユニットのためであって、前記第５の複数のリモートアンテナユニットのためではない前記無線通信機能を決定し、前記第１のデバイスに対して前記第４の複数のリモートアンテナユニットのそれぞれについて空間ダイバーシティ及びビームフォーミング機能を決定することを含み、
前記関連する空間ダイバーシティ及びビーム形成機能に基づいて前記第４の複数のリモートアンテナユニットから前記第１及び第２のリモートアンテナユニットを選択することを促進するのに十分である媒体。
［３．１５］
無線シグナリングを促進するために、プロセッサと動作可能な非一時的命令を有する非一時的なコンピュータ可読媒体であって、前記非一時的命令は、
信号プロセッサと第１の複数のリモートアンテナユニットの１つ以上との間の有線シグナリングを促進するのに十分な有線通信媒体内の複数のシグナリング経路を決定し、
前記信号プロセッサから第１の無線デバイスへの送信が意図された第１信号を決定し、
前記第１の複数のリモートアンテナユニットについて無線通信機能を決定し、前記無線通信機能は前記第１の無線デバイスとの無線による通信を促進する機能を反映し、
無線通信機能に基づいて前記第１のデバイスと無線で送信するために、前記第１の複数のリモートアンテナユニットの少なくとも第１のリモートアンテナユニット及び第２のリモートアンテナユニットを決定し、
少なくとも第１及び第２の部分のそれぞれが前記第１の信号の異なる部分を含むように、前記第１の信号を少なくとも第１の部分及び第２の部分に分離し、
前記第１の部分を前記経路の対応する１つを介して前記第１のリモートアンテナユニットに送信し、前記第１のリモートアンテナユニットは、その後で、前記第１の部分を前記第１のデバイスに無線で送信し、
前記第２の部分を前記経路の対応する１つを介して前記第２のリモートアンテナユニットに送信し、前記第２のリモートアンテナユニットは、その後で、前記第２の部分を前記第１のデバイスに無線で送信し、
次の式に従って前記第１の複数のリモートアンテナユニットについて前記無線通信機能を決定するのに十分であり、
【数１】
2016511998.tif 000001
ここで、Ｎ＝第１の複数のリモートアンテナユニットの数であり、ｉ＝リモートアンテナユニットのインデックスであり、１からＮまで変化し、Ｇｉ＝第ｉのリモートアンテナユニットに対するアンテナ利得であり、Ｐｍａｘｉ＝第ｉのリモートアンテナユニットが送信できる最大電力、ｄｉ＝第１のデバイスから第ｉのリモートアンテナへの距離であり、θｉ＝第１のデバイスから第ｉのリモートアンテナへの方向を示す度による角度である媒体。
［４．１］
多入力多出力（ＭＩＭＯ）リモートアンテナユニットであって、
入力信号を少なくとも第１の信号部分、第２の信号部分、第３の信号部分及び第４の信号部分に分離するように構成され、前記第１の信号部分は第１の周波数であり、前記第２の信号部分は第２の周波数であり、前記第３の信号部分は第３の周波数であり、及び前記第４の信号部分は第４の周波数であり、前記第１、第２、第３及び第４の周波数のそれぞれが異なるスプリッタと、
第１の変換器、第２の変換器、第３の変換器及び第４の変換器であって、前記第１、第２、第３及び第４の変換器のそれぞれは前記第１、第２、第３及び第４の信号部分のそれぞれ１つを後続する無線送信のために第５の周波数に変換するように構成されたものと、
前記入力信号を搬送する有線通信媒体を介して送信される周波数情報の機能として前記第５の周波数を決定するように構成されたエンジンであって、前記第１、第２、第３及び第４の変換器のそれぞれに命令して前記第１、第２、第３及び第４の信号部分を前記第５の周波数にそれぞれ変換するエンジンとを含むリモートアンテナユニット。
［４．２］
前記第１、第２、第３及び第４の変換器は、第１の発振器、第２の発振器、第３の発振器及び第４の発振器の１つを含み、それぞれの発信器は前記エンジンによって独立して制御可能であり複数の周波数で動作する［４．１］に記載のリモートアンテナユニット。
［４．３］
前記エンジンは、前記第１、第２、第３及び第４の発振器のそれぞれを制御し、第６、第７、第８及び第９の周波数でそれぞれ動作させ、前記第１、第２、第３及び第４の信号部分の前記第５の周波数への変換を促進するようにする［４．２］に記載のリモートアンテナユニット。
［４．４］
第５の周波数への変換に従い、前記第１、第２、第３及び第４の信号部分を増幅するように動作可能な利得機構をさらに含む［４．１］に記載のリモートアンテナユニット。
［４．５］
前記利得機構は、前記第１、第２、第３及び第４の信号部分をそれぞれ増幅する第１の増幅器、第２の増幅器、第３の増幅器及び第４の増幅器を含み、各増幅器は独立して制御可能であり複数の増幅の量を提供する［４．４］に記載のリモートアンテナユニット。
［４．６］
前記エンジンは前記第１、第２、第３及び第４の増幅器によって提供される増幅の量を制御し、前記第１、第２、第３及び第４の増幅器によって提供される増幅が前記エンジンから受信した命令に依存して周期的に変化するようにされた［４．５］に記載のリモートアンテナユニット。
［４．７］
第１のアンテナポート、第２のアンテナポート、第３アンテナポート及び第４のアンテナポートのそれぞれ１つから送信された第１のビーム、第２のビーム、第３のビーム及び第４のビームのステアリングを促進するように動作可能なビーム成形機構をさらに含み、それぞれのアンテナポートは前記第５の周波数への変換に従い前記第１、第２、第３及び第４の信号部分のそれぞれ１つの無線送信を促進する［４．１］に記載のリモートアンテナユニット。
［４．８］
前記第１、第２、第３及び第４のアンテナポートの１つにそれぞれ関連した第１のデュプレクサ、第２のデュプレクサ、第３のデュプレクサ及び第４のデュプレクサをさらに含み、それぞれのデュプレクサはアップリンク及びダウンリンクトラフィックを分離するように構成され、前記第１、第２、第３及び第４の信号部分はダウンリンクトラフィックである［４．１］に記載のリモートアンテナユニット。
［４．９］
第５の変換器、第６の変換器、第７の変換器及び第８の変換器をさらに含み、前記第５、第６、第７及び第８の変換器のそれぞれは前記第５、第６、第７及び第８の信号部分のそれぞれ１つを第１０、第１１、第１２及び第１３の周波数の１つに変換するように構成され、前記第５、第６、第７及び第８の信号部分は前記第１、第２、第３及び第４のデュプレクサのそれぞれ１つを介して送信されたアップリンクトラフィックである［４．８］に記載のリモートアンテナユニット。
［４．１０］
前記第５、第６、第７及び第８の変換器は、第５の発振器、第６の発振器、第７の発信器及び第８の発振器の１つを含み、それぞれの発振器は複数の周波数で動作するエンジンによって別個に制御可能な［４．９］に記載のリモートアンテナユニット。
［４．１１］
前記エンジンは、前記第５、第６、第７及び第８の発信器のそれぞれを制御して前記第１０、第１１、第１２及び第１３の周波数で動作させ、前記第１、第２、第３及び第４の信号部分の第１４の周波数への変換を促進するようにする［４．１０］に記載のリモートアンテナユニット。
［４．１２］
前記第１４の周波数への変換に従い前記第５、第６、第７及び第８の信号部分をそれぞれ増幅する第５の増幅器、第６の増幅器、第７の増幅器及び第８の増幅器をさらに含み、それぞれの増幅器は前記エンジンによって別個に制御可能であり、複数の増幅の量を提供する［４．１１］に記載のリモートアンテナユニット。
［４．１３］
前記第１４の周波数への変換に従い前記第５、第６、第７及び第８の信号部分を結合するように構成されたコンバイナをさらに含む［４．１１］のリモートアンテナユニット。
［４．１４］
前記エンジンは、前記入力信号を搬送する前記有線通信媒体を介して送信された伝送マップを傍受し、前記伝送マップは周波数情報を含む［４．１１］に記載のリモートアンテナユニット。
［５．１］
多入力多出力（ＭＩＭＯ）信号プロセッサであって、
入力信号を少なくとも第１の信号部分、第２の信号部分、第３の信号部分及び第４の信号部に多重化するように構成されたベースバンドプロセッサと、
第１の信号部分を第１の周波数で、第２の信号部分を第２の周波数で、第３の信号部分を第３の周波数で、第４の信号部分を第４の周波数で送信するように構成され、前記第１、第２、第３及び第４の周波数はそれぞれ異なる無線周波数集積回路（ＲＦＩＣ）と、
前記ＲＦＩＣからの送信に従い前記第１、第２、第３及び第４の信号部分を出力信号に結合するように構成された加算デバイスを含むフロントエンドと、
有線通信媒体及び光通信媒体の少なくとも１つを介して前記出力信号を送信するように構成されたレーザであって、前記出力信号の提供された周波数ダイバース長距離送信であるように前記対応する第１、第２、第３及び第４の周波数に応じて前記出力信号に含まれる前記第１、第２、第３及び第４の信号部分を変調するレーザとを含むプロセッサ。
［５．２］
前記フロントエンドは、前記レーザに出力される前に、前記出力信号、並びにそれによってその中に含まれる前記第１、第２、第３及び第４の信号部分のそれぞれをフィルタする第１のフィルタを含む［５．１］に記載の信号プロセッサ。
［５．３］
前記フロントエンドは、前記レーザに出力される前に、前記出力信号、並びにそれによってその中に含まれる前記第１、第２、第３及び第４の信号部分のそれぞれを増幅する第１の増幅器を含む［５．２］に記載の信号プロセッサ。
［５．４］
前記フロントエンドは第２のフィルタ、第３のフィルタ、第４のフィルタ及び第５のフィルタを含み、前記第２のフィルタは前記第１の信号部分を前記加算デバイスに送信する前にフィルタし、前記第３のフィルタは前記第２の信号部分を前記加算デバイスに送信する前にフィルタし、前記第４のフィルタは前記第３の信号部分を前記加算デバイスに送信する前にフィルタし、前記第５のフィルタは前記第４の信号部分を前記加算デバイスに送信する前にフィルタする［５．３］に記載の信号プロセッサ。
［５．５］
前記フロントエンドは、第２の増幅器、第３の増幅器、第４の増幅器及び第５の増幅器を含み、前記第２の増幅器は前記第２のフィルタでフィルタした後で前記加算デバイスに送る前に前記第１の信号部分を増幅し、前記第３の増幅器は前記第３のフィルタでフィルタした後で前記加算デバイスに送る前に前記第２の信号部分を増幅し、前記第４の増幅器は前記第４のフィルタでフィルタした後で前記加算デバイスに送る前に前記第３の信号部分を増幅し、前記第５の増幅器は前記第５のフィルタでフィルタした後で前記加算デバイスに送る前に前記第４の信号部分を増幅する［５．４］に記載の信号プロセッサ。
［５．６］
前記第１、第２、第３、第４及び第５のフィルタのそれぞれで実施されるフィルタリングと前記第１、第２、第３、第４及び第５の増幅器のそれぞれで実施される増幅とはマスターコントローラから受信した命令の機能としてそれぞれ独立に制御可能であり、前記マスターコントローラは、前記出力信号の少なくとも一部が前記有線通信媒体及び前記光通信媒体の少なくとも１つ内の第１の経路を介して進むときに対応する第１のセットの値に応じ、及び前記出力信号の少なくとも一部が前記有線通信媒体及び前記光通信媒体の少なくとも１つ内の第２の経路を介して進むときに対応する第２のセットの値に応じ、前記第１、第２、第３、第４及び第５のフィルタのそれぞれの通過帯域並びに前記第１、第２、第３、第４及び第５の増幅器のそれぞれの利得の量の少なくとも１つを独立に設定し、前記第２の経路は前記第１の経路と異なり、前記第１のセットの値は前記第２のセットの値と異なる［５．５］に記載の信号プロセッサ。
［５．７］
多入力多出力（ＭＩＭＯ）信号プロセッサであって、
入力信号を少なくとも第１の信号部分、第２の信号部分、第３の信号部分及び第４の信号部に多重化するように構成されたベースバンドプロセッサと、
前記第１の信号部分を第１の周波数で、前記第２の信号部分を第２の周波数で、前記第３の信号部分を第３の周波数で、前記第４の信号部分を第４の周波数で送信するように構成され、前記第１、第２、第３及び第４の周波数はそれぞれ異なる無線周波数集積回路（ＲＦＩＣ）と、
前記ＲＦＩＣからの送信に従い前記第１、第２、第３及び第４の信号部分を出力信号に結合するように構成された加算デバイスを含むフロントエンドとを含み、
前記ベースバンドプロセッサは前記第１、第２、第３及び第４の信号部分のそれぞれを第５の周波数で出力し、前記ＲＦＩＣのデジタルインターフェースは、その後で、デジタル同位相及び直交位相成分に応じて前記第１、第２、第３及び第４の信号部分のそれぞれを分離し、前記デジタルインターフェースが、前記第１の信号部分について第１のデジタル同位相及び直交位相成分、前記第２の信号部分について第２のデジタル同位相及び直交位相成分、前記第３の信号部分について第３のデジタル同位相及び直交位相成分及び前記第４の信号部分について第４のデジタル同位相及び直交位相成分を生成するようにする信号プロセッサ。
［５．８］
前記ＲＦＩＣは、前記デジタルインターフェースからの出力に従って前記第１、第２、第３及び第４のデジタル同位相及び直交位相成分を対応する第１、第２、第３及び第４のアナログ同位相及び直交位相成分に変換する個別のデジタルアナログコンバータ（ＤＡＣ）を含む［５．７］に記載の信号プロセッサ。
［５．９］
前記ＲＦＩＣは、それぞれがマスターコントローラで独立に制御可能な第１の発振器、第２の発振器、第３の発振器及び第４の発振器を含み、前記マスターコントローラは、前記第１の信号部分を前記第５の周波数から前記第１の周波数に変換することを促進するために十分な第１の振動に従う前記第１の発振器、前記第２の信号部分を前記第５の周波数から前記第２の周波数に変換することを促進するために十分な第２の振動に従う前記第２の発振器、前記第３の信号部分を前記第５の周波数から前記第３の周波数に変換することを促進するために十分な第３の振動に従う前記第３の発振器、及び前記第４の信号部分を前記第５の周波数から前記第４の周波数に変換することを促進するために十分な第４の振動に従う前記第４の発振器を制御し、前記第１、第２、第３及び第４の振動のそれぞれは異なる［５．８］に記載の信号プロセッサ。
［５．１０］
前記ＲＦＩＣは前記アナログの第１、第２、第３及び第４の同位相及び直交位相成分についての個別のミキサを含み、各ミキサは、対応する第１、第２、第３及び第４の周波数で前記アナログの第１、第２、第３及び第４の同位相及び直交位相成分の対応する１つの送信を促進するように、前記第１、第２、第３及び第４の発振器のわずか１つで動作し、各アナログ同位相及び直交位相成分は、その後で、前記第１、第２、第３及び第４の周波数で送信される前記第１、第２、第３及び第４の信号部分を形成するように結合される［５．９］に記載の信号プロセッサ。
［５．１１］
前記マスターコントローラは、前記フロントエンドからの出力信号の長距離送信を促進するために使用される有線通信媒体内で使用可能なスペクトルに応じて前記第１、第２、第３及び第４の周波数を選択する［５．９］に記載の信号プロセッサ。
［５．１２］
前記信号プロセッサは、
セルラー通信システムであって、前記入力信号は、それによって前記セルラー通信システムを介して送信されたセルラー信号から導出されたものと、
インターネットサービスプロバイダ（ＩＳＰ）、アプリケーションサービスプロバイダ又はオーバーザトップサービスプロバイダであって、前記入力信号は、それによって前記サービスプロバイダの１つを介して送信されたものと、
ケーブルテレビサービスプロバイダシステムであって、前記入力信号は、それによって前記ケーブルテレビサービスプロバイダシステムを介して搬送された少なくとも１つから発行された非周波数ダイバース信号として前記第５の周波数で前記入力信号を受信するように構成された［５．９］に記載の信号プロセッサ。
［５．１３］
前記マスターコントローラは、前記第１、第２、第３及び第４の周波数を、前記出力信号が第１のサービスエリアに予定されるときは第１周波数範囲内になるように、前記出力信号が第２サービスエリアに予定されるときは第２周波数範囲内になるように選択し、前記第２の周波数範囲は前記第１の周波数範囲の外にある［５．１１］に記載の信号プロセッサ。
［５．１４］
信号送信を促進する方法であって、
１つ以上のサービスエリアへの送信に望ましい入力信号を受信し、
前記入力信号を少なくとも複数の信号部分に多重化し、
前記多重化後に前記複数の信号部分のそれぞれを変調マッピングし、
前記変調マッピング後に前記複数の信号部分のそれぞれを直交周波数分割多重化（ＯＦＤＭ）処理し、
前記複数の信号部分のそれぞれについて中心周波数が異なるように、前記１以上のサービスエリアに応じて前記複数の信号部分について中心周波数を決定し、
ＯＦＤＭ処理に従う前記複数の中心周波数の１つで前記複数の信号部分の混合を促進するように、複数の局部発振器に命令し、
前記混合後に有線通信媒体及び光通信媒体の少なくとも１つを介した前記１以上のサービスエリアへの長距離送信について前記複数の信号部分のそれぞれを送信することを含む方法。
［５．１５］
マスターコントローラから受信した命令に応じて複数の信号部分を動的に増幅することをさらに含み、前記動的な調整は前記１以上のサービスエリアに到達する対応する複数の信号の対応する１つについて進むことが意図された経路に関連付けられた損失に応じて前記複数の信号部分の１つ以上について利得及び／又は傾斜（周波数に依存する利得）を調整することによって特徴付けられ、対応する信号経路が変化するときに対応する利得及び／又は傾斜を最初に設定した後に前記複数の信号部分の少なくとも１つについて利得及び／又は傾斜を調整することを含む［５．１４］に記載の方法。
［５．１６］
前記マスターコントローラは、前記第１、第２、第３及び第４の周波数を、前記出力信号がダウンリンク方向であるときは第１周波数範囲内になるように、前記出力信号がアップリング方向であるときは第２周波数範囲内になるように選択し、前記第２の周波数範囲は前記第１の周波数範囲の外にある［５．１１］に記載の信号プロセッサ。
［５．１７］
多入力多出力（ＭＩＭＯ）信号プロセッサであって、
少なくとも第１の信号部分及び第２の信号部分に入力信号を多重化するように構成されたベースバンドプロセッサと、
マスターコントローラであって、
ｉ）第１の信号部分について第１のサービスエリア及び第２の信号部分について第２のサービスエリアを決定し、
ｉｉ）前記第１のサービスエリアでの使用に適した第１の周波数及び前記第２のサービスエリアでの使用に適した第２の周波数を決定するように構成されたマスターコントローラと、
第１の信号部分を第１の周波数で、及び第２の信号部分を第２の周波数で送信するように構成され、前記第１の信号部分について混合する第１の発振器及び前記第２信号部分について混合する第２の発振器を含む無線周波数集積回路（ＲＦＩＣ）と、
前記第１の信号部分及び前記第２の信号部分を結合し、無線周波数（ＲＦ）コンバイナに与えられる出力のための出力信号にされるように構成されたフロントエンドとを含む信号プロセッサ。
［５．１８］
前記マスターコントローラは、前記第１の周波数が前記第２の周波数と異なるように前記第１及び第２の信号部分の混合を促進することを前記第１及び第２の発振器に命令する［５．１７］に記載の信号プロセッサ。
［５．１９］
前記マスターコントローラは、前記第１及び第２の周波数がそれに関連した前記第１及び第２のサービスエリアに応じて動的及び個別に選択可能であるように、前記第１サービスエリア内でライセンスされた複数の周波数から前記第１の周波数を選択し、前記第２サービスエリア内でライセンスされた複数の周波数から前記第２の周波数を選択する［５．１８］に記載の信号プロセッサ。